【手続補正書】
【提出日】平成20年2月26日(2008.2.26)
【手続補正１】
【補正対象書類名】明細書
【補正対象項目名】発明の名称
【補正方法】変更
【補正の内容】
【発明の名称】カラー画像を探索する方法、カラー画像を探索する装置、制御装置、画像を探索するシステム、機械読取り可能媒体、カラー画像を表現する方法、コンピュータシステム、コンピュータプログラム、並びにコンピュータ読取り可能媒体
【手続補正２】
【補正対象書類名】明細書
【補正対象項目名】特許請求の範囲
【補正方法】変更
【補正の内容】
【特許請求の範囲】
【請求項１】  データ記憶手段に格納されるカラー画像を探索する方法であって、
画像の色に関する照会を入力するステップと、
突合せ関数を使用して、前記照会と、格納される画像のための記述子とを比較するステップと、
前記突合せ関数が前記照会と前記画像の少なくとも一部との間の近いものを指示する少なくとも１つの画像を選択するステップとを含み、
前記格納される画像のための記述子は、前記画像の２以上の支配的な色の色空間値、及び前記画像の至る所の色分散のそれぞれの値を含む
カラー画像を探索する方法。
【請求項２】  前記格納される画像のための記述子は、
前記画像の支配的な色として、２以上の色を選択し、
各支配的な色について、前記支配的な色に関係する色空間における画像の色分布の分散を計算し、
かつ、各支配的な色の前記色空間値、及び色分散のそれぞれの値に関して画像を表現することによって、導出される
請求項１の方法。
【請求項３】  照会を入力するステップは、
照会画像を選択又は入力するステップと、
前記画像の支配的な色として、２以上の色を選択することによって、前記画像の記述子を取得するステップと、
各支配的な色について、前記支配的な色に関係する色空間における画像の色分布の分散を計算するステップと、
各支配的な色の前記色空間値、及び色分散のそれぞれの値に関して画像を表現するステップとを含む
請求項１記載の方法。
【請求項４】  格納される画像又は照会画像のいずれか一方の支配的な色を選択するステップは、
領域のための色ヒストグラムを導出するステップを含む
請求項２又は３記載の方法。
【請求項５】  前記支配的な色を選択するステップは、
前記色ヒストグラム内の局所的なピークを特定するステップと、
前記支配的な色として対応する色を選択するステップとを含む
請求項４記載の方法。
【請求項６】  前記画像の領域を選択するステップを含み、
前記支配的な色及び分散は、前記領域について選択され、かつ計算される
請求項２から請求項５までのいずれかに記載の方法。
【請求項７】  前記画像領域は、物体に対応する
請求項６記載の方法。
【請求項８】  前記色空間値は、複数の色成分に関して表現され、
各色成分について色分散を計算するステップを含む
請求項１から請求項７までのいずれかに記載の方法。
【請求項９】  １組の色成分について色分散を計算するステップを含む
請求項８記載の方法。
【請求項１０】  画像領域における支配的な色の相対的な有意性を表す、各支配的な色の重みを計算するステップを含む
請求項１から請求項９までのいずれかに記載の方法。
【請求項１１】  前記突合せ関数は、
【数１】
2002543539.tif 000001
に基づき、
ここで、ｑは、照会に対応する色ベクトルであり、ｍおよびＣは、代表的な色のための色分布の第１および第２の中心積率を表す記述子値である
請求項１から請求項１０までのいずれかに記載の方法。
【請求項１２】  前記突合せ関数は、
【数２】
2002543539.tif 000002
に基づき、
ここで、
【数３】
2002543539.tif 000003
であり、ｍおよびＣは、代表的な色のための色分布の第１および第２の中心積率を表す記述子値であり、ｖおよびｗは、重みであり、ｉ、ｊ、ａおよびｂは、比較されるべき記述子の下位分布の添え字である
請求項１から請求項１０までのいずれかに記載の方法。
【請求項１３】  前記突合せ関数は、
【数４】
2002543539.tif 000004
に基づき、
ここで、
【数５】
2002543539.tif 000005
および、
【数６】
2002543539.tif 000006
であり、
Ｄは類似性測定値であり、
Ｆ１は第１の記述子であり、
Ｆ２は第２の記述子であり、
ｉおよびｊは代表的な色の添え字を表し、
ｘおよびｙは記述子の添え字を表し、
Ｎ１は第１の記述子内の代表的な色の数であり、
Ｎ２は第２の記述子内の代表的な色の数であり、
Ｐ１ｉは第１の記述子内のｉ番目の重みであり、
Ｐ２ｊは第２の記述子内のｊ番目の重みであり、
ｌ、ｕおよびｖは色成分を表し、
ｃおよびｖはそれぞれ支配的な色値（平均値）および色分散である
請求項１から請求項１０までのいずれかに記載の方法。
【請求項１４】  照会を入力するステップは、
１つの色値を選択するステップを含む
請求項１から請求項１３までのいずれかに記載の方法。
【請求項１５】  照会は、色空間の成分のいくつかのみを用いて入力される
請求項１から請求項１３までのいずれかに記載の方法。
【請求項１６】  請求項１から１５までのいずれかによる方法を実施するのに適する
カラー画像を探索する装置。
【請求項１７】  請求項１から１５までのいずれかに記載された方法を実行するようにプログラミングされる
制御装置。
【請求項１８】  請求項１７に記載された制御装置を備える
カラー画像を探索する装置。
【請求項１９】  少なくとも１つの画像を入力する入力装置と、
入力画像又は前記入力画像の領域の少なくとも２つの支配的な色を求めるディテクタと、
前記画像又は画像領域内の画素に基づき色記述子を生成するように各支配的な色に関する色分散を求めるコントローラと、
前記入力画像の色記述子を、メモリに格納された画像の色記述子と比較して、少なくとも１つの実質上一致する画像を探索するコンパレータと
を備える、画像を探索するシステム。
【請求項２０】  少なくとも１つの画像を含む入力を得る命令と、
入力画像又は前記入力画像の領域の少なくとも２つの支配的な色を求める命令と、
前記画像又は画像領域内の画素に基づき色記述子を生成するように各支配的な色に関する色分散を求める命令と、
前記入力画像の色記述子を、メモリに格納された画像の色記述子と比較して、少なくとも１つの実質上一致する画像を探索する命令と、
前記少なくとも１つの実質上一致する画像を表示する命令と
を含む、複数の実行可能命令が格納される機械読取り可能媒体。
【請求項２１】  カラー画像の領域を選択するステップと、
前記領域のための代表的な色として１つあるいは複数の色を選択するステップと、
２つ以上の代表的な色を有する領域の場合、個々の代表的な色に関連する色分布に関する少なくとも２つのパラメータを各代表的な色の場合に計算するステップと、
前記パラメータを用いて前記画像領域のための記述子を導出するステップと
を含むカラー画像を表現する方法。
【請求項２２】  請求項１から１５までのいずれかに記載された方法を実施するのに適する
コンピュータシステム。
【請求項２３】  請求項１から１５までのいずれかの方法を実行するための、コンピュータプログラム又はコンピュータプログラムを格納するコンピュータ読取り可能媒体。
【請求項２４】  添付の図面を参照して記載されるような
コンピュータシステム。